(57)【要約】【課題】組立が容易であってコストダウンを図れる積層ユニット、およびこの積層ユニットを備える信号表示灯を提供する。【解決手段】積層ユニット４は、積層方向Ｘに沿って積層されて信号表示灯を構成する。積層ユニット４は、アウター部材１０と、アウター部材１０の第１内部空間１５に配置されたインナー部材１１と、アウター部材１０に設けられた支持部２０と、インナー部材１１の第２内部空間３２に収容された基板１２と、第１コネクタ６５および第２コネクタ６６とを含む。支持部２０は、インナー部材１１を、アウター部材１０に対して、積層方向Ｘに沿う回動軸線Ｊまわりに相対回動可能かつ積層方向Ｘに相対移動不能に支持する。基板１２において、第１コネクタ６５は、積層方向Ｘにおける一方側Ｘ１の端部に設けられ、第２コネクタ６６は、積層方向Ｘにおける他方側Ｘ２の端部に設けられる。【選択図】図２０
2018046030.tif 000002
【特許請求の範囲】
【請求項１】
所定の積層方向に沿って積層された状態で信号表示灯を構成する積層ユニットであって、
第１内部空間と、前記第１内部空間を前記積層方向における両側へ開放した一対の第１開口部とが形成されたアウター部材と、
前記アウター部材に設けられ、前記積層方向に沿う回動軸線まわりの前記アウター部材の回動によって前記アウター部材を信号表示灯の他の積層ユニットに連結するための連結部と、
第２内部空間と、前記第２内部空間を前記積層方向における両側へ開放した一対の第２開口部とが形成され、前記第１内部空間に配置されたインナー部材と、
前記アウター部材に設けられ、前記インナー部材を、前記アウター部材に対して前記回動軸線まわりに相対回動可能かつ前記積層方向に相対移動不能に支持した支持部と、
一対の平行な主面を有し、これらの主面が前記積層方向に沿った状態で前記第２内部空間に収容され、前記インナー部材によって保持された基板と、
前記インナー部材において前記積層方向における一方側の端部に設けられた一方側係合部と、前記インナー部材において前記積層方向における他方側の端部に設けられた他方側係合部とを有し、前記他方側係合部と信号表示灯の他の積層ユニットにおける前記一方側係合部との係合によって、隣り合う前記インナー部材同士の前記回動軸線まわりの相対回動を規制する規制部と、
前記基板において前記一方側の端部に設けられ、外部との電気的接続のための第１コネクタと、
前記基板において前記他方側の端部に設けられ、外部との電気的接続のための第２コネクタであって、隣り合う前記インナー部材同士の前記回動軸線まわりの相対回動が前記規制部によって規制されるタイミングに遅れて、信号表示灯の他の積層ユニットにおける前記第１コネクタに電気的に接続される第２コネクタとを含む、信号表示灯用の積層ユニット。
【請求項２】
前記一方側係合部は、複数設けられ、前記積層方向に沿って延びる突出部であり、
前記他方側係合部は、前記他の積層ユニットにおける前記一方側係合部を前記積層方向に沿って１つずつ受け入れる複数の溝であり、
前記複数の溝のそれぞれにおいて、溝幅が異なる、請求項１に記載の積層ユニット。
【請求項３】
所定の積層方向に沿って積層された状態で信号表示灯を構成する積層ユニットであって、
第１内部空間と、前記第１内部空間を前記積層方向における両側へ開放した一対の第１開口部とが形成されたアウター部材と、
前記アウター部材に設けられ、前記積層方向に沿う回動軸線まわりの前記アウター部材の回動によって前記アウター部材を信号表示灯の他の積層ユニットに連結するための連結部と、
第２内部空間と、前記第２内部空間を前記積層方向における両側へ開放した一対の第２開口部とが形成され、前記第１内部空間に配置されたインナー部材と、
前記アウター部材に設けられ、前記インナー部材を、前記アウター部材に対して前記回動軸線まわりに相対回動可能かつ前記積層方向に相対移動不能に支持した支持部と、
一対の平行な主面を有し、これらの主面が前記積層方向に沿った状態で前記第２内部空間に収容され、前記インナー部材によって保持された基板と、
前記基板において前記積層方向における一方側の端部に設けられ、外部との電気的接続のための第１コネクタと、
前記基板において前記積層方向における他方側の端部に設けられ、外部との電気的接続のための第２コネクタと、
前記基板の主面に設けられた発光素子とを含み、
前記発光素子が発した光が前記インナー部材および前記アウター部材を透過して外部へ放出されるように、前記インナー部材および前記アウター部材は、透光性を有する、信号表示灯用の積層ユニット。
【請求項４】
前記インナー部材は、前記発光素子が発した光を前記回動軸線まわりの回動方向の全域に拡散するレンズを構成する、請求項３に記載の積層ユニット。
【請求項５】
前記インナー部材は、前記回動軸線を中心軸線とする円筒状体であり、
前記基板は、前記回動軸線に直交した方向へ前記回動軸線からオフセットされている、請求項１〜４のいずれか一項に記載の積層ユニット。
【請求項６】
前記第１コネクタおよび前記第２コネクタの少なくとも一方は、前記第２内部空間において前記回動軸線と重なった位置に配置されている、請求項５に記載の積層ユニット。
【請求項７】
前記積層方向における前記インナー部材の両端部は、前記第１コネクタおよび前記第２コネクタよりも前記積層方向における外側へはみ出ている、請求項１〜６のいずれか一項に記載の積層ユニット。
【請求項８】
前記インナー部材は、その外表面から突出したインナー突出部を有し、
前記支持部は、前記アウター部材において前記第１内部空間を区画した内表面から前記第１内部空間内に張り出して前記インナー突出部に対して前記積層方向から係合する張り出し部を有する、請求項１〜７のいずれか一項に記載の積層ユニット。
【請求項９】
前記インナー突出部は、前記積層方向において前記張り出し部と当接し、前記インナー部材の相対回転時に前記張り出し部に対して摺動可能である、請求項８に記載の積層ユニット。
【請求項１０】
請求項１〜９のいずれか一項に記載の積層ユニットを備える、信号表示灯。
【請求項１１】
請求項１〜９のいずれか一項に記載の積層ユニットで構成された第１積層ユニットと、請求項１〜９のいずれか一項に記載の積層ユニットで構成され、前記積層方向に沿って前記第１積層ユニットに積層された第２積層ユニットとを備え、
前記第１積層ユニットおよび前記第２積層ユニットの前記アウター部材同士の前記回動軸線まわりの相対回動によって、前記第１積層ユニットと前記第２積層ユニットとが前記連結部において連結され、
前記第１積層ユニットの前記第２コネクタと、前記第２積層ユニットの前記第１コネクタとが接続されている、信号表示灯。
【発明の詳細な説明】
【技術分野】
【０００１】
この発明は、信号表示灯用の積層ユニット、および積層ユニットを備える信号表示灯に関する。
【背景技術】
【０００２】
以下の特許文献１で提案された信号表示灯は、積層状態で連結された複数の表示ユニットを含む。それぞれの表示ユニットは、表示ユニットの外形を形成する筒形状のグローブと、グローブの内側に配置された複数の内部部品とを有している。これらの内部部品は、保持体、光源が設けられた回路基板、長尺の金属板により形成された複数の給電部材、および複数の支持部を含む。保持体は、グローブの中心軸線と一致するように上下方向に沿って配置された軸線を有する筒状の柱状体である。保持体は、上端部に回路基板を保持している。回路基板は、グローブの中心軸線に直交する姿勢で保持されている。保持体には、周方向に並んだ複数の保持孔が、その軸線に沿って形成されている。給電部材は、各保持孔に対して１つずつ圧入されている。複数の支持部は、グローブの周方向に並んで配置され、グローブの内周から径方向内方へ延びていて、保持体を支持している。
【０００３】
表示ユニットを組み立てるときには、回路基板が取り付けられていない状態の保持体が、グローブに組み付けられる。次いで、回路基板が保持体に取り付けられた後に、給電部材が、保持体の各保持孔に対して１つずつ圧入される。圧入後の各給電部材では、上端部に設けられた端子が回路基板から突出している。この端子は、回路基板に半田付けされる。
【０００４】
隣り合う２つの表示ユニットでは、一方の表示ユニットの各給電部材において回路基板から上方に突出した端子が、他方の表示ユニットの各給電部材における下端部に設けられた端子に対して保持孔内で圧接されている。これによって、両表示ユニットの給電部材同士が電気的に接続されている。
【先行技術文献】
【特許文献】
【０００５】
【特許文献１】特開２００７−１２８７７４号公報
【発明の概要】
【発明が解決しようとする課題】
【０００６】
特許文献１では、隣り合う表示ユニット同士を電気的に接続するために、専用の給電部材を用いなければならない。これは、表示ユニットのコストアップの一因となる。また、このような給電部材を複数個用いる表示ユニットでは、給電部材に関連する構造が複雑であるし、部品点数が多い。そのため、表示ユニットの組み立てに時間がかかる。特に、複数の給電部材を回路基板に１つずつ手作業で半田付けする工程に時間がかかる。
【０００７】
そこで、この発明は、組立が容易であってコストダウンを図れる積層ユニット、およびこの積層ユニットを備える信号表示灯を提供する。
【課題を解決するための手段】
【０００８】
この発明は、所定の積層方向（Ｘ）に沿って積層された状態で信号表示灯（１）を構成する積層ユニット（４）であって、第１内部空間（１５）と、前記第１内部空間を前記積層方向における両側へ開放した一対の第１開口部（１６）とが形成されたアウター部材（１０）と、前記アウター部材に設けられ、前記積層方向に沿う回動軸線（Ｊ）まわりの前記アウター部材の回動によって前記アウター部材を信号表示灯の他の積層ユニットに連結するための連結部（１７）と、第２内部空間（３２）と、前記第２内部空間を前記積層方向における両側へ開放した一対の第２開口部（３３）とが形成され、前記第１内部空間に配置されたインナー部材（１１）と、前記アウター部材に設けられ、前記インナー部材を、前記アウター部材に対して前記回動軸線まわりに相対回動可能かつ前記積層方向に相対移動不能に支持した支持部（２０）と、一対の平行な主面（６０）を有し、これらの主面が前記積層方向に沿った状態で前記第２内部空間に収容され、前記インナー部材によって保持された基板（１２）と、前記基板において前記積層方向における一方側の端部（１２Ｂ）に設けられ、外部との電気的接続のための第１コネクタ（６５）と、前記基板において前記積層方向における他方側の端部（１２Ｃ）に設けられ、外部との電気的接続のための第２コネクタ（６６）とを含む、信号表示灯用の積層ユニットを提供する。
【０００９】
なお、この項において、括弧内の英数字は、後述の実施形態における対応構成要素の参照符号を示すが、これらの参考符号により発明を限定する趣旨ではない。
この構成によれば、積層方向に沿って積層された状態で信号表示灯を構成する各積層ユニットは、アウター部材と、アウター部材の第１内部空間に配置されたインナー部材と、インナー部材の第２内部空間に収容された基板とを含む。そのため、積層ユニットは、部品点数が低減されたシンプルな構造を有している。
【００１０】
基板は、積層方向における一方側の端部に設けられた第１コネクタと、積層方向における他方側の端部に設けられた第２コネクタとによって、外部との電気的接続を達成できる。具体的には、隣り合う積層ユニット同士において、１つの積層ユニットにおける第２コネクタと、他の積層ユニットにおける第１コネクタとが接続されることによって、これらの積層ユニット同士の電気的接続を達成できる。
【００１１】
第１コネクタおよび第２コネクタとしては、汎用のコネクタを用いることができる。それにより、積層ユニットのコストダウンを図れる。また、第１コネクタおよび第２コネクタは、基板に予め取り付けておくことができる。すなわち、組立の際に、基板ならびに第１コネクタおよび第２コネクタを一部品として取り扱うことができる。これにより、積層ユニットの構造の簡素化を図れるうえに、組立が容易な積層ユニットを提供できる。
【００１２】
アウター部材に設けられた支持部は、インナー部材を支持しており、インナー部材は、アウター部材に対して、積層方向に沿う回動軸線まわりに相対回動可能かつ積層方向に相対移動不能となっている。そのため、隣り合う積層ユニット同士をアウター部材の連結部によって連結したり、その連結を解除したりするために、アウター部材を回動軸線まわりに回動させたときに、アウター部材の回動が、基板を保持しているインナー部材に伝達されない。したがって、隣り合う積層ユニットの基板同士が、それらにそれぞれ設けられた第１コネクタおよび第２コネクタによって結合され、それによってインナー部材の回動が規制されているときでも、アウター部材の回動によって基板が捩れることを防止できる。
【００１３】
この発明の一実施形態では、前記積層ユニットは、前記基板の主面に設けられた発光素子（６８）を含み、前記発光素子が発した光が前記インナー部材および前記アウター部材を透過して外部へ放出されるように、前記インナー部材および前記アウター部材は、透光性を有する。
この構成によれば、発光素子が発した光が、インナー部材およびアウター部材を透過して、積層ユニットの外に放出される。積層ユニットは、この光によって所定の情報を報知する表示ユニットとして機能することができる。この発明の一実施形態では、前記インナー部材は、前記発光素子が発した光を前記回動軸線まわりの回動方向の全域に拡散するレンズを構成する。
【００１４】
この発明の一実施形態では、前記インナー部材は、前記回動軸線を中心軸線とする円筒状体であり、前記基板は、前記回動軸線に直交した方向（Ｓ）へ前記回動軸線からオフセットされている。
この構成によれば、円筒状体であるインナー部材において基板が収容される第２内部空間では、回動軸線と重なった位置にスペースを確保できる。
【００１５】
この発明の一実施形態では、前記第１コネクタおよび前記第２コネクタの少なくとも一方は、前記第２内部空間において前記回動軸線と重なった位置に配置されている。
この構成によれば、第２内部空間において回動軸線と重なった位置にあるスペースを、第１コネクタおよび第２コネクタの少なくとも一方を配置するために有効利用できる。また、積層ユニットの小型化によって小径のインナー部材が用いられる場合がある。この場合において、汎用のコネクタである第１コネクタおよび第２コネクタを、インナー部材の小径化に合わせて小型にしなくても、比較的広い当該スペースを利用して、第２内部空間に配置することができる。
【００１６】
この発明の一実施形態では、前記積層ユニットが、前記インナー部材における前記一方側の端部（１１Ｂ）に設けられた一方側係合部（３６）と、前記インナー部材における前記他方側の端部（１１Ｃ）に設けられた他方側係合部（４３）とを有し、前記他方側係合部と信号表示灯の他の積層ユニットにおける前記一方側係合部との係合によって、隣り合う前記インナー部材同士の前記回動軸線まわりの相対回動を規制する規制部（８１）を含む。
【００１７】
この構成によれば、隣り合う積層ユニット同士を連結したときに、積層ユニットにおけるインナー部材の他方側係合部と、他の積層ユニットにおけるインナー部材の一方側係合部とが係合する。これによって、これらのインナー部材同士を、回動軸線まわりの回動方向において位置決めすることができる。この発明の一実施形態では、前記第２コネクタは、隣り合う前記インナー部材同士の前記回動軸線まわりの相対回動が前記規制部によって規制されるタイミングに遅れて、信号表示灯の他の積層ユニットにおける前記第１コネクタに電気的に接続される。
【００１８】
この発明の一実施形態では、前記一方側係合部は、複数設けられ、前記積層方向に沿って延びる突出部であり、前記他方側係合部は、前記他の積層ユニットにおける前記一方側係合部を前記積層方向に沿って１つずつ受け入れる複数の溝であり、前記複数の溝のそれぞれにおいて、溝幅（Ｗ）が異なる。
この構成によれば、隣り合う積層ユニット同士を連結するときに、積層ユニットにおいて溝として構成された各他方側係合部に、他の積層ユニットにおいて突出部として構成された一方側係合部が積層方向に沿って１つずつ受け入れられる。その際、各他方側係合部は、溝幅に合った大きさを有する一方側係合部しか受け入れられない。これにより、各他方側係合部に対する一方側係合部の誤挿入を防止して、隣り合う積層ユニットにおけるインナー部材同士を、回動軸線まわりの回動方向において正確に位置決めすることができる。
【００１９】
この発明の一実施形態では、前記積層方向における前記インナー部材の両端部は、前記第１コネクタおよび前記第２コネクタよりも前記積層方向における外側へはみ出ている。
この構成によれば、第１コネクタおよび第２コネクタは、積層方向においてインナー部材の両端部よりも内側に位置している。これにより、積層ユニットが単体で存在する状態では、これらのコネクタは、外部の物品に接触しないように保護される。また、隣り合う積層ユニット同士を連結するときに、積層ユニットにおける第２コネクタと他の積層ユニットにおける第１コネクタとが連結されるよりも先に、これらの積層ユニットにおけるインナー部材同士が連結される。これにより、これらのコネクタがインナー部材に接触することによって破損することを防止できる。
【００２０】
この発明の一実施形態では、前記インナー部材は、その外表面（１１Ｅ）から突出したインナー突出部（４１）を有し、前記支持部は、前記アウター部材において前記第１内部空間を区画した内表面（１０Ａ）から前記第１内部空間内に張り出して前記インナー突出部に対して前記積層方向から係合する張り出し部（２１）を有する。
この構成によれば、アウター部材の内表面から第１内部空間内に張り出した張り出し部が、インナー部材の外表面のインナー突出部に対して積層方向から係合する。これによって、張り出し部を有する支持部は、インナー部材を、アウター部材に対して積層方向に相対移動不能に支持できる。
【００２１】
この発明の一実施形態では、前記インナー突出部は、前記積層方向において前記張り出し部と当接し、前記インナー部材の相対回転時に前記張り出し部に対して摺動可能である。
この構成によれば、インナー突出部が積層方向において張り出し部と当接することによって、インナー部材は、アウター部材に対して積層方向に相対移動不能となる。そして、インナー部材は、その相対回転時に張り出し部に対して摺動することによって、アウター部材に対して回動軸線まわりに相対回動可能となる。
【００２２】
この発明の一実施形態では、前記インナー突出部は、第１インナー突出部（４１Ａ）を含み、前記アウター部材は、前記内表面に設けられて前記第１内部空間内に突出したアウター突出部（２５）を有し、前記インナー部材は、前記第１インナー突出部と前記アウター突出部とが係合する第１位置と、前記回動軸線まわりの回動方向（Ｙ）において前記第１位置から離れた第２位置であって、前記第１インナー突出部と前記アウター突出部との係合が解消される第２位置との間で、前記アウター部材に対して相対回動可能である。
【００２３】
この構成によれば、積層ユニットが単体で存在する状態では、インナー部材を第１位置に配置しておけば、インナー突出部の第１インナー突出部と、アウター部材の内表面におけるアウター突出部とが係合することによって、インナー部材を不用意に回動しないように仮止めできる。これにより、隣り合う積層ユニット同士を連結する際に、積層ユニットにおける第２コネクタと、他の積層ユニットにおける第１コネクタとを、回動方向において整合させた状態で円滑に連結することができる。一方、インナー部材を第２位置に配置しておけば、第１インナー突出部とアウター突出部との係合が解消されることによって、アウター部材の回動を阻害しないように、インナー部材の相対回動を許容することができる。
【００２４】
この発明の一実施形態では、前記アウター部材は、前記張り出し部を前記積層方向に沿って貫通した第１ガイド溝（２６）を有し、前記インナー部材が前記第２位置にある状態において、前記第１インナー突出部と前記第１ガイド溝とが整合する。
この構成によれば、インナー部材が第２位置にある場合には、第１インナー突出部がアウター部材の第１ガイド溝と整合することによって、インナー突出部は、積層方向において張り出し部と当接しなくなる。これにより、第１インナー突出部が第１ガイド溝を積層方向に沿って通過することによって、インナー部材をアウター部材の第１内部空間に対して着脱することができる。
【００２５】
この発明の一実施形態では、前記インナー突出部は、第１インナー突出部とは別の第２インナー突出部（４１Ｂ）を含み、前記張り出し部は、前記回動方向において前記第１ガイド溝から離れた位置に形成されて前記積層方向に沿って延び、前記インナー部材が前記積層方向に沿って前記第１内部空間に挿入されるときに前記第２インナー突出部を受け入れてガイドする第２ガイド溝（２７）と、前記第１内部空間に対する前記インナー部材の挿入方向の下流側（Ｘ２）における前記第２ガイド溝の端部（２７Ｂ）を塞ぎ、前記第２ガイド溝の端部に到達した前記第２インナー突出部によって乗り越えられて前記下流側から係合される閉塞部（２８）とを有する。
【００２６】
この構成によれば、インナー部材が積層方向に沿って第１内部空間に挿入されるときに、第２インナー突出部は、張り出し部の第２ガイド溝に受け入れられてガイドされる。第２インナー突出部は、第２ガイド溝の端部に到達したときに、閉塞部を乗り越えて、挿入方向の下流側から閉塞部に係合する。これにより、インナー部材は、アウター部材に対して積層方向に相対移動不能となる。
【００２７】
この発明の一実施形態は、以上に記載の特徴を有する積層ユニット（４）を備える、信号表示灯（１）を提供する。
この構成によれば、積層ユニットの組立が容易であってコストダウンを図れるので、信号表示灯の製造コストを低減できる。
この発明の一実施形態は、以上に記載の特徴を有する積層ユニット（４）で構成された第１積層ユニット（４Ａ）と、以上に記載の積層ユニット（４）で構成され、前記積層方向に沿って前記第１積層ユニットに積層された第２積層ユニット（４Ｂ）とを備え、前記第１積層ユニットおよび前記第２積層ユニットの前記アウター部材同士の前記回動軸線まわりの相対回動によって、前記第１積層ユニットと前記第２積層ユニットとが前記連結部において連結され、前記第１積層ユニットの前記第２コネクタと、前記第２積層ユニットの前記第１コネクタとが接続されている、信号表示灯（１）を提供する。
【００２８】
この構成によれば、第１積層ユニットおよび第２積層ユニットの組立が容易であってコストダウンを図れるので、信号表示灯の製造コストを低減できる。
【図面の簡単な説明】
【００２９】
【図１】図１は、この発明の一実施形態に係る信号表示灯の斜視図である。
【図２】図２は、信号表示灯を構成する積層ユニットに含まれるアウター部材の斜視図である。
【図３】図３は、積層ユニットに含まれるインナー部材の斜視図である。
【図４】図４は、インナー部材の底面図である。
【図５】図５は、インナー部材の平面図である。
【図６】図６は、積層ユニットに含まれる基板の斜視図である。
【図７】図７は、基板の側面図である。
【図８】図８は、図７とは別の方向から見た場合における基板の側面図である。
【図９】図９は、基板が収容されたインナー部材の平面図である。
【図１０】図１０は、図９のＡ−Ａ線断面図である。
【図１１】図１１は、図９のＢ−Ｂ線断面図である。
【図１２】図１２は、インナー部材が第１位置にある状態における積層ユニットの模式的な平面図である。
【図１３】図１３は、図１２のＣ−Ｃ線断面図である。
【図１４】図１４は、図１２のＤ−Ｄ線断面図である。
【図１５】図１５は、インナー部材が第２位置にある状態における積層ユニットの模式的な平面図である。
【図１６】図１６は、図１５のＥ−Ｅ線断面図である。
【図１７】図１７は、図１５のＦ−Ｆ線断面図である。
【図１８】図１８は、連結された２つのインナー部材の側面図である。
【図１９】図１９は、図１８のＧ−Ｇ線断面図である。
【図２０】図２０は、連結されて直立した状態にある２つの積層ユニットの縦断面図である。
【発明を実施するための形態】
【００３０】
以下には、図面を参照して、この発明の一実施形態について具体的に説明する。図１は、この発明の一実施形態に係る信号表示灯１の斜視図である。信号表示灯１は、工場の製造現場等で使用される。信号表示灯１は、細長い円筒状に形成されている。使用時における信号表示灯１の姿勢は、使用条件に応じて任意に設定できる。以下では、便宜上、図１における紙面の上下方向が信号表示灯１の長手方向と一致するように、縦長に直立して配置されたときの信号表示灯１を基準として説明する。そのため、図１において、紙面の上側を信号表示灯１の上側とみなし、紙面の下側を信号表示灯１の下側とみなす。
【００３１】
信号表示灯１は、ベースユニット２と、ヘッドカバー３と、積層ユニット４とを備えている。ベースユニット２は、製造現場における設備等の取付対象に取り付けられる。積層ユニット４およびヘッドカバー３は、この順番で、信号表示灯１の長手方向に沿ってベースユニット２に対して積層される。つまり、積層ユニット４およびヘッドカバー３は、信号表示灯１の長手方向という所定の積層方向Ｘに沿って積層された状態で信号表示灯１を構成する。積層方向Ｘは、一方側Ｘ１と、一方側Ｘ１とは反対の他方側Ｘ２とを含む。この実施形態では、一方側Ｘ１が図１の下側に相当し、他方側Ｘ２が図１の上側に相当する。なお、一方側Ｘ１が図１の下側に相当して他方側Ｘ２が図１の上側に相当する逆の構成もあり得る。また、本実施形態の信号表示灯１では、後述する基板等の電気部品以外のほとんどが樹脂製であるが、信号表示灯１の材料は樹脂に限定されない。
【００３２】
円筒状の信号表示灯１の中心軸線を回動軸線Ｊという。回動軸線Ｊは、積層方向Ｘに沿って延びている。回動軸線Ｊまわりの周方向を回動方向Ｙという。回動方向Ｙのうち、一方側を第１回動方向Ｙ１といい、第１回動方向Ｙ１とは反対側を第２回動方向Ｙ２という。第１回動方向Ｙ１は、図１における上側から信号表示灯１を見た場合における反時計回りの方向に相当する。第２回動方向Ｙ２は、図１における上側から信号表示灯１を見た場合における時計回りの方向に相当する。回動軸線Ｊを中心とする径方向を径方向Ｚという。径方向Ｚのうち、回動軸線Ｊに近付く方向を径方向内側Ｚ１といい、回動軸線Ｊから離れる方向を径方向外側Ｚ２という。以下では、回動軸線Ｊを基準としたこれらの方向を用いて、信号表示灯１における各部品を説明する。
【００３３】
ベースユニット２は、回動軸線Ｊを中心軸線とする円筒状に形成されている。ベースユニット２には、積層ユニット４に電力を供給するための電源基板（図示せず）と、積層ユニット４の動作を制御するための制御基板（図示せず）とが内蔵されている。ヘッドカバー３は、信号表示灯１の上端に位置している。ヘッドカバー３は、回動軸線Ｊを中心軸線とする円盤状に形成されている。
【００３４】
積層ユニット４は、１つの信号表示灯１において単数または複数存在する。この実施形態では、２つの積層ユニット４が、ベースユニット２とヘッドカバー３との間において、積層方向Ｘに隣り合って配置される。２つの積層ユニット４のうち、一方側Ｘ１に位置する積層ユニット４を第１積層ユニット４Ａといい、他方側Ｘ２に位置する他の積層ユニット４を第２積層ユニット４Ｂということがある。それぞれの積層ユニット４は、回動軸線Ｊを中心軸線とする円筒状に形成されている。
【００３５】
積層状態におけるベースユニット２、ヘッドカバー３および積層ユニット４のそれぞれの外周面は、略面一になっていて、信号表示灯１の全体の外周面を構成している。次に、積層ユニット４について、詳しく説明する。それぞれの積層ユニット４は、その外殻を構成するアウター部材１０と、アウター部材１０内に配置されるインナー部材１１および基板１２とを含む。
【００３６】
図２は、アウター部材１０の斜視図である。図２におけるアウター部材１０の姿勢は、図１におけるアウター部材１０の姿勢と一致している。アウター部材１０は、回動軸線Ｊを中心軸線とする円筒状に形成されている。アウター部材１０には、その中空部分を構成する第１内部空間１５と、積層方向Ｘにおける両端部に１つずつ位置する一対の第１開口部１６とが形成されている。第１内部空間１５は、回動軸線Ｊを中心軸線とする円筒状の空間であり、アウター部材１０の内表面１０Ａによって区画されている。一対の第１開口部１６は、回動軸線Ｊを中心軸線とする円形状に形成されていて、第１内部空間１５を積層方向Ｘにおける両側へ開放している。
【００３７】
アウター部材１０の外周面１０Ｂは、他方側Ｘ２の端部に位置する小径部１０Ｃと、小径部１０Ｃよりも一方側Ｘ１に位置する大径部１０Ｄとを含む。小径部１０Ｃは、大径部１０Ｄよりも一段小径である。小径部１０Ｃにおける大径部１０Ｄとの境界付近には、回動方向Ｙに沿って延びる溝１０Ｅが形成されている。
アウター部材１０には、連結部１７が設けられている。連結部１７は、第１連結部１８と第２連結部１９とを含む。第１連結部１８は、複数（ここでは４つ）存在し、アウター部材１０の内表面１０Ａにおける一方側Ｘ１の端部において、回動方向Ｙに間隔を隔てて設けられている。各第１連結部１８は、内表面１０Ａにおける一方側Ｘ１の端縁から他方側Ｘ２へ直線的に延びる第１溝１８Ａと、第１溝１８Ａにおける他方側Ｘ２の端部から第１回動方向Ｙ１へ直線的に延びる第２溝１８Ｂとを含む。そのため、各第１連結部１８の全体は、径方向Ｚから見て略Ｌ字形状に形成された溝である。第２溝１８Ｂにおいて第１回動方向Ｙ１へ偏った位置には、突条１８Ｃが形成されている。突条１８Ｃは、径方向内側Ｚ１へ突出しながら、積層方向Ｘに延びて第２溝１８Ｂを横切っている。
【００３８】
第２連結部１９は、第１連結部１８と同数存在し、アウター部材１０の外周面１０Ｂの小径部１０Ｃにおける他方側Ｘ２の端部において、回動方向Ｙに間隔を隔てて設けられている。各第２連結部１９は、径方向外側Ｚ２へ突出しつつ回動方向Ｙに延びる突起である。各第２連結部１９において第１回動方向Ｙ１へ偏った位置には、積層方向Ｘに延びて第２連結部１９における径方向外側Ｚ２の表面を切り取った切欠き１９Ａが形成されている。
【００３９】
アウター部材１０の内表面１０Ａにおいて他方側Ｘ２の端部には、支持部２０が内表面１０Ａの一部として設けられている。支持部２０は、内表面１０Ａから第１内部空間１５内に張り出した張り出し部２１を有する。張り出し部２１は、回動軸線Ｊを中心軸線として回動方向Ｙに延びたリング状に形成されている。張り出し部２１には、単数または複数の第１凹部２３および第２凹部２４が形成されている。この実施形態では、第１凹部２３および第２凹部２４は、２つずつ存在し、回動方向Ｙにおいて交互に並んでいる。隣り合う第１凹部２３と第２凹部２４との間隔は、一定であってもよいし、一定でなくてもよい。第１凹部２３および第２凹部２４のそれぞれは、張り出し部２１における他方側Ｘ２の端面から一方側Ｘ１に窪み、張り出し部２１の内周面２１Ａから径方向内側Ｚ１に露出されている。
【００４０】
第１凹部２３の底面は、張り出し部２１における一方側Ｘ１の端面２１Ｂよりも他方側Ｘ２に位置する第１底面２３Ａと、第１底面２３Ａよりも他方側Ｘ２に位置する第２底面２３Ｂとを有する。第１底面２３Ａおよび第２底面２３Ｂは、回動軸線Ｊに直交する平坦面であって、回動方向Ｙに沿って延びている。第１底面２３Ａにおける径方向外側Ｚ２の端縁と、第２底面２３Ｂにおける径方向内側Ｚ１の端縁とは径方向Ｚにおいて同じ位置にある。支持部２０には、第１底面２３Ａにおける径方向外側Ｚ２の端縁と、第２底面２３Ｂにおける径方向内側Ｚ１の端縁との間に架設されて回動方向Ｙに沿って延びた円弧状面２３Ｃが形成されている。
【００４１】
円弧状面２３Ｃにおいて第２回動方向Ｙ２へ偏った位置には、径方向内側Ｚ１つまり第１内部空間１５内に突出しつつ積層方向Ｘに延びたアウター突出部２５が一体的に設けられている。張り出し部２１における一方側Ｘ１の端面２１Ｂと第１底面２３Ａとの間における内周面２１Ａには、積層方向Ｘに沿って張り出し部２１を貫通した第１ガイド溝２６が形成されている。第１ガイド溝２６は、アウター突出部２５よりも第１回動方向Ｙ１にずれていて、張り出し部２１の端面２１Ｂと第１底面２３Ａとの両方において露出されている。
【００４２】
第２凹部２４の底面２４Ａは、回動軸線Ｊに直交する平坦面であって、回動方向Ｙに沿って延びている。張り出し部２１の端面２１Ｂと底面２４Ａと間における内周面２１Ａには、積層方向Ｘに沿って端面２１Ｂから底面２４Ａの手前まで延びた第２ガイド溝２７が形成されている。第２ガイド溝２７は、回動方向Ｙにおいて、底面２４Ａにおける第１回動方向Ｙ１側の端部と同じ位置にあり、第１ガイド溝２６から離れている。第２ガイド溝２７における一方側Ｘ１の端部２７Ａは、一方側Ｘ１へ向かうにつれて回動方向Ｙに幅広となり、張り出し部２１の端面２１Ｂにおいて露出されている。張り出し部２１において、第２ガイド溝２７における他方側Ｘ２の端部２７Ｂと底面２４Ａとの間の部分は、端部２７Ｂを他方側Ｘ２から塞いだ閉塞部２８である。
【００４３】
アウター部材１０の内表面１０Ａにおいて張り出し部２１と第１連結部１８との間の領域には、複数のレンズ部２９が回動方向Ｙに並んで形成されている。それぞれのレンズ部２９は、径方向内側Ｚ１へ膨出する円弧状の断面を有して積層方向Ｘに延びる突条である。
図３は、インナー部材１１の斜視図である。図３におけるインナー部材１１の姿勢は、図１におけるインナー部材１１の姿勢と一致している。図４は、図３の姿勢にあるインナー部材１１の底面図である。図５は、図３の姿勢にあるインナー部材１１の平面図である。図３を参照して、インナー部材１１は、回動軸線Ｊを中心軸線とする円筒状体である。インナー部材１１には、その中空部分を構成する第２内部空間３２と、積層方向Ｘにおける両端部に１つずつ位置する一対の第２開口部３３とが形成されている。第２内部空間３２は、回動軸線Ｊを中心軸線とする円筒状の空間であり、インナー部材１１の内表面１１Ａによって区画されている。一対の第２開口部３３は、回動軸線Ｊを中心軸線とする円形状に形成されていて、第２内部空間３２を積層方向Ｘにおける両側へ開放している。インナー部材１１は、一方側Ｘ１の端部である一方側端部１１Ｂと、他方側Ｘ２の端部である他方側端部１１Ｃと、一方側端部１１Ｂと他方側端部１１Ｃとの間にある中央部１１Ｄとを一体的に含む。
【００４４】
一方側端部１１Ｂには、一方側Ｘ１から積層方向Ｘに沿って一方側端部１１Ｂを切欠く第１切欠き３４および第２切欠き３５が形成されている。図４に示すように、第１切欠き３４は、回動方向Ｙに離れて複数（ここでは２つ）設けられ、第２切欠き３５は、２つの第１切欠き３４の間に単数または複数（ここでは１つ）設けられている。第２切欠き３５は、回動方向Ｙにおいて、第１切欠き３４よりも細い。これらの第１切欠き３４および第２切欠き３５によって、一方側端部１１Ｂは、回動方向Ｙにおいて複数（ここでは３つ）の一方側係合部３６に分割されている。これらの一方側係合部３６は、円弧状の断面を有して中央部１１Ｄから積層方向Ｘに沿って一方側Ｘ１へ延びる複数の突出部である。
【００４５】
３つの一方側係合部３６は、回動方向Ｙにおける寸法が一番大きい第１一方側係合部３６Ａと、回動方向Ｙにおける寸法が二番目に大きい第２一方側係合部３６Ｂと、回動方向Ｙにおける寸法が最も小さい第３一方側係合部３６Ｃとを含む。第１一方側係合部３６Ａ、第３一方側係合部３６Ｃおよび第２一方側係合部３６Ｂは、この順番で第１回動方向Ｙ１に向けて並んでいる。第３一方側係合部３６Ｃは、第２一方側係合部３６Ｂに隣接して配置されている。第１一方側係合部３６Ａと、第２一方側係合部３６Ｂおよび第３一方側係合部３６Ｃとは、回動軸線Ｊを挟んで対向している。
【００４６】
図３を参照して、他方側端部１１Ｃには、他方側Ｘ２から積層方向Ｘに沿って他方側端部１１Ｃを切欠く第１切欠き３７が形成されている。第１切欠き３７は、回動方向Ｙに離れて複数（ここでは２つ）設けられている。２つの第１切欠き３７は、一方側端部１１Ｂにおける２つの第１切欠き３４と、回動方向Ｙにおいて１つずつ同じ位置にある。これらの第１切欠き３７によって、他方側端部１１Ｃは、回動方向Ｙにおいて複数（ここでは２つ）の分割体３８に分割されている。これらの分割体３８は、円弧状の断面を有して中央部１１Ｄから積層方向Ｘに沿って他方側Ｘ２へ延びる突出部である。２つの分割体３８のうち、一方を第１分割体３８Ａといい、他方を第２分割体３８Ｂということがある。第１分割体３８Ａと第２分割体３８Ｂとは、回動軸線Ｊを挟んで対向している。回動方向Ｙにおいて、第１分割体３８Ａは、第１一方側係合部３６Ａと同じ位置にあり、第２分割体３８Ｂは、第２一方側係合部３６Ｂおよび３６Ｃと同じ位置にある。
【００４７】
それぞれの分割体３８には、他方側Ｘ２から積層方向Ｘに沿って分割体３８を切欠く第２切欠き３９が形成されている。第２切欠き３９は、回動方向Ｙにおいて、第１切欠き３７よりも細い。第２切欠き３９は、回動方向Ｙに離れて複数ずつ（ここでは２つずつ）設けられている。これらの第２切欠き３９によって、それぞれの分割体３８は、回動方向Ｙにおいて、小分割体４０Ａ、小分割体４０Ｂおよび小分割体４０Ｃという複数（ここでは３つ）の小分割体に分割されている。小分割体４０Ａ、小分割体４０Ｂおよび小分割体４０Ｃは、この順番で第１回動方向Ｙ１に向けて並んでいる。回動方向Ｙにおける寸法について、小分割体４０Ａと小分割体４０Ｃとはほぼ同じであり、小分割体４０Ｂが最も小さい。
【００４８】
インナー部材１１において各分割体３８における外表面１１Ｅには、外表面１１Ｅから径方向外側Ｚ２へ突出したインナー突出部４１が形成されている。インナー突出部４１は、第１分割体３８Ａの小分割体４０Ａおよび小分割体４０Ｃに１つずつ設けられた第１インナー突出部４１Ａと、第１インナー突出部４１Ａとは別に存在し、第１分割体３８Ａおよび第２分割体３８Ｂの各小分割体４０Ｂに１つずつ設けられた第２インナー突出部４１Ｂとを含む。第１インナー突出部４１Ａは、積層方向Ｘに長手の突条に形成されている。第１インナー突出部４１Ａは、小分割体４０Ａでは第２回動方向Ｙ２における下流側の端部に位置し、小分割体４０Ｃでは第１回動方向Ｙ１における下流側の端部に位置している。第２インナー突出部４１Ｂは、略直方体の小片状に形成されている。
【００４９】
インナー部材１１において各分割体３８における内表面１１Ａには、径方向内側Ｚ１へ突出しつつ積層方向Ｘに沿って延びる複数（ここでは５つ）のリブ４２が、回動方向Ｙに間隔をあけて形成されている。図５を参照して、これらのリブ４２は、第１分割体３８Ａの小分割体４０Ａおよび小分割体４０Ｃに１つずつ設けられた第１リブ４２Ａと、第２分割体３８Ｂの小分割体４０Ａに２つ設けられて小分割体４０Ｃに１つ設けられた第２リブ４２Ｂとを含む。第１リブ４２Ａは、小分割体４０Ａでは第２回動方向Ｙ２における下流側の端部に位置し、小分割体４０Ｃでは第１回動方向Ｙ１における下流側の端部に位置している。第２リブ４２Ｂは、小分割体４０Ａでは回動方向Ｙにおける両側の端部に位置し、小分割体４０Ｃでは第１回動方向Ｙ１における下流側の端部に位置している。
【００５０】
これらのリブ４２によって、他方側端部１１Ｃにおける内表面１１Ａには、他方側係合部４３が設けられている（図３参照）。他方側係合部４３は、隣り合う第１リブ４２Ａの間や、隣り合う第２リブ４２Ｂの間に１つずつ区画された複数の溝である。これらの他方側係合部４３は、他方側端部１１Ｃにおける他方側Ｘ２の端面から一方側Ｘ１に窪み、他方側端部１１Ｃの内表面１１Ａから径方向内側Ｚ１に露出されている。
【００５１】
第１分割体３８Ａにおいて隣り合う第１リブ４２Ａの間に区画された他方側係合部４３を、第１他方側係合部４３Ａという。第１他方側係合部４３Ａは、第１分割体３８Ａの小分割体４０Ａ、小分割体４０Ｂおよび小分割体４０Ｃに跨って設けられている。第２分割体３８Ｂにおいて小分割体４０Ｃの第２リブ４２Ｂと小分割体４０Ａにおける第１回動方向Ｙ１の下流側の第２リブ４２Ｂとの間に区画された他方側係合部４３を、第２他方側係合部４３Ｂという。第２他方側係合部４３Ｂは、第２分割体３８Ｂの小分割体４０Ａ、小分割体４０Ｂおよび小分割体４０Ｃに跨って設けられている。小分割体４０Ａにおける２つの第２リブ４２Ｂの間に区画された他方側係合部４３を、第３他方側係合部４３Ｃという。各他方側係合部４３において、溝幅Ｗ、つまり回動方向Ｙにおける寸法は異なり、詳しくは、第１他方側係合部４３Ａ、第２他方側係合部４３Ｂおよび第３他方側係合部４３Ｃの順で小さくなっている。
【００５２】
中央部１１Ｄにおける外表面１１Ｅには、径方向外側Ｚ２へ突出しつつ積層方向Ｘに延びる導光部材４５が複数形成されている。複数の導光部材４５は、回動軸線Ｊを中心として略放射状に配置されている。導光部材４５において回動軸線Ｊと直交する断面の形状は、導光部材４５毎に異なっていてもよい。回動軸線Ｊを挟んで対向する第１分割体３８Ａおよび第２分割体３８Ｂの対向方向を対向方向Ｓという。対向方向Ｓは、回動軸線Ｊに直交している。
【００５３】
図４を参照して、第２内部空間３２では、対向方向Ｓにおいて回動軸線Ｊから第１一方側係合部３６Ａ側にオフセットされた位置に、第２内部空間３２の一部としての配置空間４６が設けられている。配置空間４６は、回動軸線Ｊおよび対向方向Ｓの両方に直交した直交方向Ｔに広がっている。直交方向Ｔにおける配置空間４６の両端部は、中央部１１Ｄにおける内表面１１Ａにおいて積層方向Ｘに沿って延びる一対の溝４７（図４において点線のハッチングを付した部分）を構成している。
【００５４】
一対の溝４７のうち、一方は、２つ設けられた第１切欠き３４の一方と回動方向Ｙにおいて同じ位置にあり、他方は、残りの第１切欠き３４と回動方向Ｙにおいて同じ位置にある。内表面１１Ａには、溝４７の溝底４７Ａと  溝底４７Ａにおける対向方向Ｓの両端から立ち上がった一対の側面４７Ｂとが設けられている。一対の側面４７Ｂには、互いに接近するように突出しながら積層方向Ｘに延びる位置決めリブ４８が１つずつ形成されている。それぞれの溝４７は、中央部１１Ｄにおける一方側Ｘ１の端面から露出されている。中央部１１Ｄには、それぞれの溝４７の他方側Ｘ２の端部を他方側Ｘ２から塞ぐ閉塞部４９が形成されている（図３および図５を参照）。
【００５５】
それぞれの溝４７の溝底４７Ａには、図３に示す貫通穴５０が１つずつ形成されている。貫通穴５０は、径方向Ｚから見て略Ｕ字状に形成され、中央部１１Ｄを径方向Ｚに貫通している。中央部１１Ｄにおいて、略Ｕ字状の貫通穴５０に囲まれた部分は、積層方向Ｘに長手の係合部５１である。係合部５１は、２つ存在し、それぞれの溝４７に１つずつ臨んでいる。係合部５１における一方側Ｘ１の端部が中央部１１Ｄに連結されている。これにより、係合部５１の全体は、中央部１１Ｄによって片持ち支持されている。係合部５１において他方側Ｘ２の端部は、溝４７内へ鉤状に突出した先端部５１Ａである。係合部５１は、先端部５１Ａが直交方向Ｔに沿って移動できるように、弾性変形可能である。中央部１１Ｄにおける外表面１１Ｅには、インナー部材１１への基板１２の挿入方向（ここでは他方側Ｘ２）を示すマーク５２が設けられている。
【００５６】
図４を参照して、中央部１１Ｄにおける内表面１１Ａにおいて回動方向Ｙで第１一方側係合部３６Ａと同じ位置には、配置空間４６へ向けて突出しつつ積層方向Ｘに延びた複数（ここでは２つ）の突出部５３が、回動方向Ｙに並んで形成されている。中央部１１Ｄにおける内表面１１Ａにおいて溝４７および突出部５３を避けた領域には、複数のレンズ部５４が回動方向Ｙに並んで形成されている。それぞれのレンズ部５４は、径方向内側Ｚ１へ膨出する円弧状の断面を有して積層方向Ｘに延びる突条である。
【００５７】
図６は、基板１２の斜視図である。図６における基板１２の姿勢は、図１における基板１２の姿勢と一致している。基板１２は、一対の平行な主面６０を有する。これらの主面６０は、積層方向Ｘに長手の略長方形状に形成されている。厳密には、主面６０において、一方側Ｘ１の辺の略中央には一方側Ｘ１へ突出した突出部６１が設けられている。一対の主面６０のうち、図６において大きく見えている一方を第１主面６０Ａといい、他方を第２主面６０Ｂという。基板１２は、一対の主面６０の短手方向Ｕにおける端縁間をつなぐ一対の端面６２を有する。それぞれの端面６２において、他方側Ｘ２へ偏った同じ位置には、短手方向Ｕにおける基板１２の内側へ向けて窪む２つの凹部６３が、積層方向Ｘに並んで形成されている。凹部６３は、基板１２を、その板厚方向Ｖにおいて貫通している。短手方向Ｕにおける基板１２の両端部のそれぞれにおいて２つの凹部６３に挟まれた部分は、短手方向Ｕにおける外側へ突出した凸部６４を構成している。
【００５８】
板厚方向Ｖから見た基板１２の側面図である図７を参照して、基板１２において、凹部６３および凸部６４よりも他方側Ｘ２に位置する部分１２Ａは、短手方向Ｕにおいて一段幅狭になっている。そのため、各凸部６４は、部分１２Ａにおける端面６２よりも短手方向Ｕの外側へ突出している。基板１２における第２主面６０Ｂには、外部との電気接続のための第１コネクタ６５および第２コネクタ６６が１つずつ設けられている。
【００５９】
第１コネクタ６５は、基板１２において一方側Ｘ１の端部１２Ｂに設けられ、第２コネクタ６６は、基板１２において他方側Ｘ２の端部１２Ｃに設けられている。端部１２Ｂには、主面６０において一方側Ｘ１へ突出した突出部６１が含まれ、第１コネクタ６５は、板厚方向Ｖにおいて突出部６１と重なって配置されている。第１コネクタ６５における一方側Ｘ１の端面６５Ａには、複数の差し込み穴６５Ｂ（後述する図１１参照）が短手方向Ｕに並んで形成されている。第２コネクタ６６は、基板１２から他方側Ｘ２にはみ出している。第２コネクタ６６における他方側Ｘ２の端面には、一方側Ｘ１へ窪みつつ第２コネクタ６６を板厚方向Ｖに貫通した凹部６６Ａが形成されている。凹部６６Ａ内には、複数のピン６７が短手方向Ｕに並んで配置されている。
【００６０】
基板１２の端部において基板１２の主面６０に沿う積層方向Ｘへの接続のために設けられる第１コネクタ６５および第２コネクタ６６としては、汎用のコネクタを用いることができる。それにより、積層ユニット４のコストダウンを図れる。また、第１コネクタ６５および第２コネクタ６６は、基板１２に予め取り付けておくことができる。すなわち、組立の際に、基板１２ならびに第１コネクタ６５および第２コネクタ６６を一部品として取り扱うことができる。これにより、積層ユニット４の構造の簡素化を図れるうえに、組立が容易で組立時間を短縮できる積層ユニット４を提供できる。そして、このように積層ユニット４の組立が容易であってコストダウンを図れるので、信号表示灯１全体の製造コストを低減できる。
【００６１】
短手方向Ｕから見た基板１２の側面図である図８を参照して、基板１２の各主面６０において積層方向Ｘで第１コネクタ６５と第２コネクタ６６との間の領域には、光源６８が設けられている。光源６８の一例として、ＬＥＤを用いることができる。各主面６０における光源６８は単数でも複数でもよく、この実施形態では２つの光源６８が積層方向Ｘに並んで配置されている。基板１２において、第１コネクタ６５および第２コネクタ６６のそれぞれと各光源６８とは、電気的に接続されている。
【００６２】
以下では、積層ユニット４の組立について説明する。まず、インナー部材１１に対する基板１２の組み付けについて説明する。最初に、他方側Ｘ２の端部１２Ｃが先頭となるように、基板１２が、インナー部材１１における一方側Ｘ１の第２開口部３３Ａを通って第２内部空間３２の配置空間４６に対して他方側Ｘ２へ挿入される（図３および図４参照）。このとき、インナー部材１１に設けられたマーク５２（図３参照）によって、基板１２の挿入方向を把握できる。
【００６３】
図９を参照して、配置空間４６に挿入された基板１２では、短手方向Ｕが直交方向Ｔと一致し、板厚方向Ｖが対向方向Ｓと一致している。基板１２は、短手方向Ｕにおける両端部がインナー部材１１の溝４７に１つずつ受け入れられて一対の位置決めリブ４８（図４参照）によって挟まれた状態で、配置空間４６を他方側Ｘ２へ進む。基板１２における一対の凸部６４が、インナー部材１１の係合部５１の先端部５１Ａまで到達すると、各係合部５１は、先端部５１Ａが凸部６４から離れるように弾性変形する。これにより、凸部６４は、先端部５１Ａを他方側Ｘ２へ乗り越える。
【００６４】
すると、図９のＡ−Ａ線断面図である図１０に示すように、凸部６４が、インナー部材１１においての溝４７の他方側Ｘ２の端部を塞ぐ閉塞部４９に対して一方側Ｘ１から接触する。また、先ほど弾性変形した各係合部５１が元の状態に戻り、先端部５１Ａが、基板１２において各凸部６４よりも一方側Ｘ１に位置する凹部６３に対して直交方向Ｔの外側から嵌まり込む。これにより、基板１２は、インナー部材１１によって保持された状態となり、インナー部材１１に対する基板１２の組み付けが完了する。この状態において、一対の係合部５１の先端部５１Ａは、直交方向Ｔの外側から基板１２を挟んでいる。これにより、基板１２は、積層方向Ｘおよび直交方向Ｔの両方において位置決めされている。
【００６５】
図９を参照して、インナー部材１１に組み付けられた基板１２は、一対の主面６０が積層方向Ｘに沿った状態で第２内部空間３２に収容され、一対の第２開口部３３から積層方向Ｘの両外側へ露出されている。この状態で、基板１２における短手方向Ｕの両端部は、引き続き溝４７に１つずつ受け入れられており、それぞれの溝４７において一対の位置決めリブ４８（図４参照）によって挟まれている。位置決めリブ４８によって、基板１２は、対向方向Ｓおよび回動方向Ｙの両方において位置決めされている。
【００６６】
また、基板１２は、第１分割体３８Ａに接近するように、回動軸線Ｊから対向方向Ｓの一方へオフセットされている。この構成によれば、インナー部材１１の第２内部空間３２では、回動軸線Ｊと重なった位置にスペースを確保できる。一方、第１コネクタ６５および第２コネクタ６６は、第２内部空間３２において回動軸線Ｊと重なった位置にある当該スペースに配置されている。つまり、当該スペースを、第１コネクタ６５および第２コネクタ６６を配置するために有効利用できる。また、積層ユニット４の小型化によって小径のインナー部材１１が用いられる場合がある。この場合において、汎用のコネクタである第１コネクタ６５および第２コネクタ６６を、インナー部材１１の小径化に合わせて小型にしなくても、比較的広い当該スペースを利用して、第２内部空間３２に配置することができる。また、インナー部材１１において当該スペースに臨むレンズ部５４等を、当該スペースを利用して自由に作り込むことができるので、設計の自由度が向上する。なお、第１コネクタ６５および第２コネクタ６６の一方だけが、回動軸線Ｊと重なった位置に配置されてもよい。
【００６７】
図９のＢ−Ｂ線断面図である図１１に示すように、基板１２が組み付けられたインナー部材１１では、一方側端部１１Ｂが第１コネクタ６５よりも一方側Ｘ１にはみ出していて、他方側端部１１Ｃが第２コネクタ６６よりも他方側Ｘ２にはみ出している。つまり、積層方向Ｘにおけるインナー部材１１の両端部は、第１コネクタ６５および第２コネクタ６６よりも積層方向Ｘにおける外側へはみ出ている。これにより、積層ユニット４が単体で存在する状態では、これらのコネクタは、外部の物品に接触しないように保護される。
【００６８】
また、インナー部材１１に対する基板１２の組み付けには、弾性変形する係合部５１と基板１２の凹部６３および凸部６４とで構成されたスナップ構造が用いられている。そのため、インナー部材１１に対する基板１２の組み付けについて、作業性の向上を図れるし、時間短縮を図れるし、組み付け間違いがあった場合においてリカバリーしやすい。なお、第１主面６０Ａおよび６０Ｂの向きが逆になった姿勢の基板１２がインナー部材１１の第２内部空間３２に挿入された場合には、インナー部材１１において第２内部空間３２内に突出した突出部５３（図９参照）が第２コネクタ６６に接触する。これにより、第１主面６０Ａおよび６０Ｂの向きが逆になるような組み付け間違いは、未然に防止される。
【００６９】
次に、基板１２が組み付けられたインナー部材１１をアウター部材１０に組み付ける手順について説明する。最初に、他方側端部１１Ｃが先頭となるように、インナー部材１１が、アウター部材１０における一方側Ｘ１の第１開口部１６Ａを通って、第１内部空間１５に対して積層方向Ｘに沿って他方側Ｘ２へ挿入される（図２参照）。つまり、第１内部空間１５に対するインナー部材１１の挿入方向の下流側は、他方側Ｘ２である。挿入の際、インナー部材１１は、各第１インナー突出部４１Ａがアウター部材１０の第１ガイド溝２６と１つずつ整合し、各第２インナー突出部４１Ｂがアウター部材１０の第２ガイド溝２７と１つずつ整合するように、アウター部材１０に対して回動方向Ｙに位置合わせされる（図２および図３参照）。そのため、インナー部材１１が第１内部空間１５に挿入されるときに、第１ガイド溝２６が第１インナー突出部４１Ａを受け入れてガイドし、第２ガイド溝２７が第２インナー突出部４１Ｂを受け入れてガイドする。
【００７０】
インナー部材１１が他方側Ｘ２へ引き続き挿入されると、各第１インナー突出部４１Ａが、第１ガイド溝２６内を他方側Ｘ２へ進む。第１インナー突出部４１Ａが第１ガイド溝２６を通過したタイミングの直前に、各第２インナー突出部４１Ｂが、第２ガイド溝２７における他方側Ｘ２の端部２７Ｂに到達して閉塞部２８に接触する（図２参照）。すると、インナー部材１１において第２インナー突出部４１Ｂが設けられた小分割体４０Ｂ（図３参照）が径方向内側Ｚ１へ弾性変形する。これにより、各第２インナー突出部４１Ｂは、径方向内側Ｚ１へ移動しながら閉塞部２８を乗り越える。各第１インナー突出部４１Ａが第１ガイド溝２６を通過したタイミングと、各第２インナー突出部４１Ｂが閉塞部２８を乗り越えたタイミングとはほぼ同じである。
【００７１】
各第２インナー突出部４１Ｂが閉塞部２８を乗り越えると、先ほど弾性変形した各小分割体４０Ｂが元の状態に戻る。これにより、各第２インナー突出部４１Ｂは、閉塞部２８、つまり張り出し部２１の第２凹部２４の底面２４Ａに対して他方側Ｘ２から係合した状態になる。この状態では、各第１インナー突出部４１Ａは、アウター部材１０の支持部２０における張り出し部２１の各第１凹部２３に１つずつ受け入れられ、各第２インナー突出部４１Ｂは、張り出し部２１の各第２凹部２４に１つずつ受け入れられている（図２参照）。各第１インナー突出部４１Ａは、第１凹部２３において第１回動方向Ｙ１における端部に位置し、各第２インナー突出部４１Ｂは、第２凹部２４において第１回動方向Ｙ１における端部に位置している。この状態では、アウター部材１０に対するインナー部材１１の組み付けが完了して積層ユニット４が完成しており、インナー部材１１は、アウター部材１０の第１内部空間１５に配置されている（図１参照）。
【００７２】
積層ユニット４が完成した状態では、アウター部材１０における一方側Ｘ１の第１開口部１６と、インナー部材１１における一方側Ｘ１の第２開口部３３とが積層方向Ｘでほぼ同じ位置にある。また、アウター部材１０における他方側Ｘ２の第１開口部１６と、インナー部材１１における他方側Ｘ２の第２開口部３３とが積層方向Ｘでほぼ同じ位置にある。インナー部材１１に組み付けられた基板１２は、一対の第１開口部１６および第２開口部３３から積層方向Ｘの両外側へ露出されている。
【００７３】
完成した積層ユニット４において、インナー部材１１を、第２回動方向Ｙ２へアウター部材１０に対して回動軸線Ｊまわりに目一杯相対回動させると、インナー部材１１は、図１２に示す第１位置に配置される。なお、図１２では、張り出し部２１を実際よりも径方向Ｚに大きく図示することによって、インナー突出部４１およびその周辺部分が、アウター部材１０の外周面から径方向内側Ｚ１へ離れて見やすく図示されている（後述する図１３〜図１７においても同様）。第１位置までのインナー部材１１の相対回動時に、各第１インナー突出部４１Ａは、第１凹部２３の第１底面２３Ａに対して他方側Ｘ２から当接しながら摺動し、各第２インナー突出部４１Ｂは、第２凹部２４の底面２４Ａに対して他方側Ｘ２から当接しながら摺動する。
【００７４】
インナー部材１１が第１位置にある状態では、各第１インナー突出部４１Ａは、第１凹部２３において、アウター突出部２５を乗り越えて第２回動方向Ｙ２における端部に位置し、アウター突出部２５に対して第２回動方向Ｙ２から係合している。なお、図１２に示すように第１インナー突出部４１Ａがアウター突出部２５から第２回動方向Ｙ２へ離れていても、第１インナー突出部４１Ａは、アウター突出部２５に対して第２回動方向Ｙ２から係合した状態にある。各第２インナー突出部４１Ｂは、第２凹部２４において第２回動方向Ｙ２における端部に位置してもよいし、第２回動方向Ｙ２における途中に位置してもよい。
【００７５】
図１２のＣ−Ｃ線断面図である図１３を参照して、インナー部材１１が第１位置にある状態では、各第１インナー突出部４１Ａは、引き続き第１凹部２３の第１底面２３Ａに対して他方側Ｘ２から当接している。図１２のＤ−Ｄ線断面図である図１４を参照して、インナー部材１１が第１位置にある状態では、各第２インナー突出部４１Ｂは、引き続き第２凹部２４の底面２４Ａに対して他方側Ｘ２から当接している。また、この状態では、アウター部材１０の支持部２０における張り出し部２１が、他方側Ｘ２からインナー部材１１の各導光部材４５に対して他方側Ｘ２から接触している。
【００７６】
第１位置にあるインナー部材１１を、第１回動方向Ｙ１へアウター部材１０に対して回動軸線Ｊまわりに目一杯相対回動させると、インナー部材１１は、図１５に示す第２位置に戻る。第２位置は、回動方向Ｙにおいて第１位置から離れた位置である。第２位置までのインナー部材１１の相対回動時に、各第１インナー突出部４１Ａは、第１凹部２３の第１底面２３Ａに対して他方側Ｘ２から当接しながら摺動し、各第２インナー突出部４１Ｂは、第２凹部２４の底面２４Ａに対して他方側Ｘ２から当接しながら摺動する。
【００７７】
インナー部材１１が第２位置にある状態では、各第１インナー突出部４１Ａは、第１凹部２３において、アウター突出部２５を乗り越えて第１回動方向Ｙ１における端部に位置している。そのため、第１インナー突出部４１Ａとアウター突出部２５との係合が解消されている。これにより、積層ユニット４同士の連結のためのアウター部材１０の回動を阻害しないように、インナー部材１１の相対回動を許容することができる。インナー部材１１の回動範囲は、回動方向Ｙにおける第１凹部２３の寸法に相当する。各第２インナー突出部４１Ｂは、第２凹部２４において第１回動方向Ｙ１における端部に位置し、第２ガイド溝２７と整合している。
【００７８】
図１５のＥ−Ｅ線断面図である図１６を参照して、インナー部材１１が第２位置にある状態では、各第１インナー突出部４１Ａは、第１ガイド溝２６と整合することによって、インナー突出部４１は、積層方向Ｘにおいて張り出し部２１と当接しなくなる。図１５のＦ−Ｆ線断面図である図１７を参照して、インナー部材１１が第２位置にある状態では、各第２インナー突出部４１Ｂは、引き続き第２凹部２４の底面２４Ａ、つまり閉塞部２８に対して他方側Ｘ２から当接している。また、この状態では、アウター部材１０の支持部２０における張り出し部２１が、他方側Ｘ２からインナー部材１１の各導光部材４５に対して引き続き他方側Ｘ２から接触している。
【００７９】
インナー部材１１が第２位置にある状態では、各第１インナー突出部４１Ａを第１ガイド溝２６において一方側Ｘ１へ移動させ、各第２インナー突出部４１Ｂを、閉塞部２８を乗り越えさせてから第２ガイド溝２７において一方側Ｘ１へ移動させることができる。これによって、インナー部材１１をアウター部材１０の第１内部空間１５から一方側Ｘ１へ離脱させることができる。これとは逆の手順によって、前述したように、インナー部材１１を一方側Ｘ１から第１内部空間１５に装着することができる。なお、インナー部材１１を第１内部空間１５に装着する動作において、各第１インナー突出部４１Ａが第１ガイド溝２６を通過して各第２インナー突出部４１Ｂが閉塞部２８を乗り越えた時点のインナー部材１１は、第２位置にある。
【００８０】
以上のように、インナー部材１１は、第１位置と第２位置との間でアウター部材１０に対して相対回動可能である。そして、アウター部材１０の支持部２０における張り出し部２１は、第１凹部２３の第１底面２３Ａおよび第２凹部２４の底面２４Ａにおいてインナー部材１１の各インナー突出部４１に対して一方側Ｘ１から係合するとともに、インナー部材１１の各導光部材４５に対して他方側Ｘ２から係合している。つまり、支持部２０は、インナー部材１１を、アウター部材１０に対して回動軸線Ｊまわりに相対回動可能かつ積層方向Ｘに相対移動不能に支持している。なお、ここでの相対移動不能とは、インナー部材１１がアウター部材１０から積層方向Ｘへ不用意に外れないことを意味している。そのため、インナー部材１１は、積層方向Ｘへの遊びを持って、支持部２０によって支持されてもよい。
【００８１】
以上のように、積層ユニット４は、アウター部材１０と、アウター部材１０の第１内部空間１５に配置されたインナー部材１１と、インナー部材１１の第２内部空間３２に収容された基板１２とを含む。そのため、積層ユニット４は、部品点数が低減されたシンプルな構造を有している。これにより、積層ユニット４の組立時間を短縮できる。
積層ユニット４が単体で存在する状態では、インナー部材１１を第１位置に配置されている。この場合、インナー突出部４１の第１インナー突出部４１Ａと、アウター部材１０の内表面１０Ａにおけるアウター突出部２５とが係合することによって、インナー部材１１を不用意に回動しないように仮止めできる（図１２参照）。
【００８２】
次に、図１における第１積層ユニット４Ａに第２積層ユニット４Ｂを積層方向Ｘに沿って積層して、これらの積層ユニット４を互いに連結する手順について説明する。まず、第１積層ユニット４Ａの他方側Ｘ２に第２積層ユニット４Ｂが配置される。そして、第２積層ユニット４Ｂのアウター部材１０の各第１連結部１８の第１溝１８Ａと、第１積層ユニット４Ａのアウター部材１０の各第２連結部１９とが回動方向Ｙにおいて１つずつ整合するように、これらの積層ユニット４が回動方向Ｙにおいて位置合わせされる（図２参照）。なお、アウター部材１０の外周面１０Ｂにおいて回動方向Ｙにおける１箇所には、たとえば積層方向Ｘに延びる直線状のマーク８０が設けられていてもよい。この場合、第１積層ユニット４Ａと第２積層ユニット４Ｂとが回動方向Ｙにおいて位置合わせされると、互いの積層ユニット４のマーク８０同士が回動方向Ｙにおいて一致する。これにより、位置合わせが完了したことを把握できる。
【００８３】
図１８は、連結された２つの積層ユニット４のインナー部材１１の側面図である。図１９は、図１８のＧ−Ｇ線断面図である。図１９では、説明の便宜上、インナー部材１１の一方側係合部３６を黒く塗り潰している。前述したように第１積層ユニット４Ａと第２積層ユニット４Ｂとの位置合わせが完了した状態において、第１積層ユニット４Ａのインナー部材１１の第１他方側係合部４３Ａと、第２積層ユニット４Ｂのインナー部材１１の第１一方側係合部３６Ａとは、回動方向Ｙにおいて整合している。また、第１積層ユニット４Ａのインナー部材１１の第２他方側係合部４３Ｂと、第２積層ユニット４Ｂのインナー部材１１の第２一方側係合部３６Ｂとは、回動方向Ｙにおいて整合している。また、第１積層ユニット４Ａのインナー部材１１の第３他方側係合部４３Ｃと、第２積層ユニット４Ｂのインナー部材１１の第３一方側係合部３６Ｃとは、回動方向Ｙにおいて整合している。
【００８４】
このように位置合わせが完了した状態において、第１積層ユニット４Ａと第２積層ユニット４Ｂとを積層方向Ｘにおいて相対移動させて互いに接近させる。すると、第１積層ユニット４Ａのアウター部材１０の小径部１０Ｃが、第２積層ユニット４Ｂのアウター部材１０における一方側Ｘ１の第１開口部１６Ａに対して一方側Ｘ１から挿入される（図２参照）。このとき、第１積層ユニット４Ａの各第２連結部１９が、第２積層ユニット４Ｂの各第１連結部１８の第１溝１８Ａ内に１つずつ進入して、他方側Ｘ２へ進む。同じタイミングで、図１９に示すように、第１積層ユニット４Ａのインナー部材１１の他方側端部１１Ｃが、第２積層ユニット４Ｂのインナー部材１１の一方側端部１１Ｂに対して、一方側Ｘ１から外嵌される。このとき、第１積層ユニット４Ａでは、第１他方側係合部４３Ａが積層方向Ｘに沿って第１一方側係合部３６Ａを受け入れ、第２他方側係合部４３Ｂが積層方向Ｘに沿って第２一方側係合部３６Ｂを受け入れ、第３他方側係合部４３Ｃが積層方向Ｘに沿って第３一方側係合部３６Ｃを受け入れる。つまり、第１積層ユニット４Ａの他方側係合部４３は、第２積層ユニット４Ｂの一方側係合部３６を積層方向Ｘに沿って１つずつ受け入れる。
【００８５】
第１リブ４２Ａ、第２リブ４２Ｂ、第１一方側係合部３６Ａ、第２一方側係合部３６Ｂおよび第３一他方側係合部３６Ｃは、規制部８１を構成している。規制部８１は、第１積層ユニット４Ａの他方側係合部４３と第２積層ユニット４Ｂの一方側係合部３６との係合によって、隣り合う第１積層ユニット４Ａおよび第２積層ユニット４Ｂのインナー部材１１同士を連結する。詳細には、隣り合う第１リブ４２Ａが、第１一方側係合部３６Ａの両端部にそれぞれ当接することによって、回動軸線Ｊまわりの第１一方側係合部３６Ａの移動を規制する。また、隣り合う第２リブ４２Ｂが、第２一方側係合部３６Ｂの両端部や第３一方側係合部３６Ｃの両端部にそれぞれ当接することによって、回動軸線Ｊまわりの第２一方側係合部３６Ｂおよび第３一方側係合部３６Ｃの移動を規制する。こうして、インナー部材１１同士の回動軸線Ｊまわりの相対回動が規制されている。これによって、これらのインナー部材１１同士を、回動軸線Ｊまわりの回動方向Ｙにおいて位置決めすることができる。また、各他方側係合部４３は、溝幅Ｗ（図５参照）に合った大きさを有する一方側係合部３６しか受け入れられない。これにより、各他方側係合部４３に対する一方側係合部３６の誤挿入を防止して、隣り合う積層ユニット４におけるインナー部材１１同士を回動方向Ｙにおいて正確に位置決めすることができる。なお、連結後の一方側係合部３６および他方側係合部４３の全体を規制部８１とみなしてもよい。
【００８６】
図２０は、連結されて直立した状態にある２つの積層ユニット４の縦断面図である。また、インナー部材１１同士が連結されるタイミングに遅れて、第１積層ユニット４Ａの第２コネクタ６６の凹部６６Ａに、第２積層ユニット４Ｂの第１コネクタ６５が他方側Ｘ２から嵌まり込み、第２コネクタ６６の各ピン６７が、第１コネクタ６５の端面６５Ａにおける各差し込み穴６５Ｂに対して一方側Ｘ１から１つずつ差し込まれる（図１１参照）。これにより、第１積層ユニット４Ａの第２コネクタ６６と、第２積層ユニット４Ｂの第１コネクタ６５とは、電気的および機械的に接続される。第１コネクタ６５と第２コネクタ６６とが接続されるよりも先にインナー部材１１同士が連結されるので、これらのコネクタがインナー部材１１に接触することによって破損することを防止できる。
【００８７】
また、第１コネクタ６５と第２コネクタ６６とが連結する前の段階では、第１積層ユニット４Ａおよび第２積層ユニット４Ｂのそれぞれのインナー部材１１は、第１位置にある。そのため、第１積層ユニット４Ａにおける第２コネクタ６６と第２積層ユニット４Ｂにおける第１コネクタ６５とを、回動方向Ｙにおいて整合させた状態で円滑に連結することができる。なお、第１積層ユニット４Ａと第２積層ユニット４Ｂとの回動方向Ｙにおける相対位置の誤差をある程度吸収できるように、第１コネクタ６５および第２コネクタ６６は、いわゆるフローティングコネクタのように、基板１２に設けられた状態で若干移動可能であってもよい。
【００８８】
図２を参照して、第１積層ユニット４Ａと第２積層ユニット４Ｂとの積層方向Ｘの相対移動に伴って、第２連結部１９は、第１溝１８Ａにおける他方側Ｘ２の端部に到達すると、それ以上他方側Ｘ２へ進めない。この状態で、第２積層ユニット４Ｂが第１積層ユニット４Ａに対して第２回動方向Ｙ２へずれるように、第１積層ユニット４Ａおよび第２積層ユニット４Ｂのアウター部材１０同士を回動軸線Ｊまわりに相対回動させる。これにより、第１積層ユニット４Ａの各第２連結部１９が、第２積層ユニット４Ｂの各第１連結部１８において第１溝１８Ａから第２溝１８Ｂに受け渡されて、第２溝１８Ｂ内を第１回動方向Ｙ１へ進む。積層ユニット４のアウター部材１０の外周面１０Ｂには、連結のためにアウター部材１０を回動させる方向を示すマーク８２が設けられてもよい（図１参照）。
【００８９】
アウター部材１０同士の相対回動に伴い、第１積層ユニット４Ａおよび第２積層ユニット４Ｂにおいて互いに連結された状態にあるインナー部材１１は、基板１２を保持した状態で、アウター部材１０に対して今までの第１位置から第２位置まで相対回動する。各第１連結部１８の第２溝１８Ｂにおける突条１８Ｃが第２連結部１９の切欠き１９Ａに嵌まると、第１積層ユニット４Ａと第２積層ユニット４Ｂとの相対回動が停止される。
【００９０】
この状態では、第１積層ユニット４Ａの各第２連結部１９と、第２積層ユニット４Ｂの各第１連結部１８とが互いに係合している。そのため、各第２連結部１９は、第２溝１８Ｂ内に位置することによって積層方向Ｘに動けず、突条１８Ｃが切欠き１９Ａに嵌まることによって回動方向Ｙに動けない。よって、第１積層ユニット４Ａおよび第２積層ユニット４Ｂのアウター部材１０同士は、連結部１７において、積層方向Ｘおよび回動方向Ｙの両方へ相対移動不能に連結されている。この状態では、互いの積層ユニット４のマーク８０同士が回動方向Ｙにおいてずれている（図１参照）。以上のように、第１積層ユニット４Ａと第２積層ユニット４Ｂとを、積層方向Ｘに相対移動させて回動方向Ｙに相対回動させるという２つだけの簡単な動作によって、工具を用いなくても連結することができる。なお、連結の場合とは逆の手順を踏めば、第１積層ユニット４Ａと第２積層ユニット４Ｂとを、簡単に分離することができる。
【００９１】
インナー部材１１は、基板１２を保持した状態で、アウター部材１０に対して相対回動可能である。そのため、隣り合う積層ユニット４同士をアウター部材１０の連結部１７によって連結したり、その連結を解除したりするために、アウター部材１０を回動軸線Ｊまわりに回動させたときに、アウター部材１０の回動が、基板１２を保持しているインナー部材１１に伝達されない。したがって、隣り合う積層ユニット４の基板１２同士が、それらにそれぞれ設けられた第１コネクタ６５および第２コネクタ６６によって結合され、それによってインナー部材１１の回動が規制されているときでも、アウター部材１０の回動によって基板１２が捩れることを防止できる。
【００９２】
ベースユニット２には、前述した連結部１７（この実施形態では第２連結部１９）が設けられていて、ヘッドカバー３にも、連結部１７（この実施形態では第１連結部１８）が設けられている。第１積層ユニット４Ａと第２積層ユニット４Ｂとの連結部１７における連結と同様の手順で、ベースユニット２と第１積層ユニット４Ａとが連結され、ヘッドカバー３と第２積層ユニット４Ｂとが連結されると、図１に示すように信号表示灯１が完成する。第１積層ユニット４Ａの第１コネクタ６５は、ベースユニット２に設けられたコネクタ（図示せず）に接続されている。これにより、ベースユニット２に内蔵された電源基板（図示せず）からの電力が、第１積層ユニット４Ａおよび第２積層ユニット４Ｂのそれぞれの基板１２に対して供給される。また、ベースユニット２に内蔵された制御基板（図示せず）からの制御信号が、第１積層ユニット４Ａおよび第２積層ユニット４Ｂのそれぞれの基板１２に対して送信される。
【００９３】
これにより、図２０を参照して、第１積層ユニット４Ａおよび第２積層ユニット４Ｂのそれぞれでは、基板１２の一対の主面６０における各光源６８が所定の発光パターンで発光する。各積層ユニット４０のアウター部材１０およびインナー部材１１は、透明または半透明であって、透光性を有している。そのため、各光源６８が発した光は、インナー部材１１の内表面１１Ａからインナー部材１１内に入射し、導光部材４５内を通って放射状に広がった後に、アウター部材１０を透過してアウター部材１０の外周面１０Ｂから積層ユニット４の外に放出される。積層ユニット４は、この光によって所定の情報を報知する表示ユニットとして機能することができる。インナー部材１１の内表面１１Ａのレンズ部５４およびアウター部材１０の内表面１０Ａのレンズ部２９は、光を回動方向Ｙの全域に拡散するために寄与する。
【００９４】
なお、各積層ユニット４は、形態は同じであるが、発光色が積層ユニット４毎に異なるように、各積層ユニット４におけるアウター部材１０およびインナー部材１１の少なくとも一方が、他の積層ユニット４とは異なる色で着色されていてもよい。または、各積層ユニット４のアウター部材１０およびインナー部材１１を同色とする一方で、光源６８の発光色を積層ユニット４毎に異ならせてもよい。
【００９５】
また、各積層ユニット４のアウター部材１０の小径部１０Ｃにおける溝１０Ｅには、Ｏリング等のパッキン８３が嵌め込まれている。第１積層ユニット４Ａのパッキン８３が、第１積層ユニット４Ａのアウター部材１０の小径部１０Ｃと第２積層ユニット４Ｂのアウター部材１０との隙間を密封しているので、当該隙間を通って各積層ユニット４内に水が侵入することが防止されている。
【００９６】
この発明は、以上に説明した実施形態に限定されるものではなく、請求項に記載の範囲内において種々の変更が可能である。
たとえば、積層ユニット４は、前述した表示ユニットでなく、ブザーを内蔵して警報を鳴らすブザーユニットであってもよいし、外部機器との通信を行うための通信機能を有する通信ユニットであってもよい。
【００９７】
また、基板１２に設けられた第１コネクタ６５は、いわゆるエッジコネクタのように基板１２にパターン形成されたコネクタであってもよい。その場合、第２コネクタ６６は、第１コネクタ６５を受け入れるソケットとして構成される。第２コネクタ６６において第１コネクタ６５が挿入される挿入口は、第１コネクタ６５に対応するように、積層方向Ｘから見て基板１２と重なった位置に配置される。
【００９８】
また、信号表示灯１を構成する各部品では、信号表示灯１を組み立てる際における部品間での引っ掛かりを防止するための面取り８５が、必要な位置に適宜設けられてもよい（各図を参照）。
また、以上における「相対移動」や「相対回動」という記載には、２つの部品の両方を移動させる場合と、２つの部品の一方を静止させて他方だけを移動させる場合とが含まれる。
【符号の説明】
【００９９】
１…信号表示灯
４…積層ユニット
４Ａ…第１積層ユニット
４Ｂ…第２積層ユニット
１０…アウター部材
１０Ａ…内表面
１１…インナー部材
１１Ｂ…一方側端部
１１Ｃ…他方側端部
１１Ｅ…外表面
１２…基板
１２Ｂ…端部
１２Ｃ…端部
１５…第１内部空間
１６…第１開口部
１７…連結部
２０…支持部
２１…張り出し部
２５…アウター突出部
２６…第１ガイド溝
２７…第２ガイド溝
２７Ｂ…他方側の端部
２８…閉塞部
３２…第２内部空間
３３…第２開口部
３６…一方側係合部
４１…インナー突出部
４１Ａ…第１インナー突出部
４１Ｂ…第２インナー突出部
４３…他方側係合部
６０…主面
６５…第１コネクタ
６６…第２コネクタ
６８…光源
８１…規制部
Ｊ…回動軸線
Ｓ…対向方向
Ｗ…溝幅
Ｘ…積層方向
Ｘ２…他方側
Ｙ…回動方向
【図１】
2018046030.tif 000003
【図２】
2018046030.tif 000004
【図３】
2018046030.tif 000005
【図４】
2018046030.tif 000006
【図５】
2018046030.tif 000007
【図６】
2018046030.tif 000008
【図７】
2018046030.tif 000009
【図８】
2018046030.tif 000010
【図９】
2018046030.tif 000011
【図１０】
2018046030.tif 000012
【図１１】
2018046030.tif 000013
【図１２】
2018046030.tif 000014
【図１３】
2018046030.tif 000015
【図１４】
2018046030.tif 000016
【図１５】
2018046030.tif 000017
【図１６】
2018046030.tif 000018
【図１７】
2018046030.tif 000019
【図１８】
2018046030.tif 000020
【図１９】
2018046030.tif 000021
【図２０】
2018046030.tif 000022